(57)【要約】本発明は喪失歯の補綴修復のための歯科用補綴物及びその製造方法に関し、詳しくは、喪失個所の隣接歯に取り付けられる保持部に雄体を、且つ、人工歯に雌体を形成して喪失個所の隣接歯を削ることなく人工歯の移植を行えるようにする補綴物と、これを製造するための方法であって、原モデルを複製し、前記複製済みモデルに対してろう引きを行い、前記複製済みモデルがろう引きされた状態でスプルーを取り付け、次いで、前記複製済みモデルに対して埋め込み、焼き付け及び鋳造を行うことにより、高精細な補綴物が得られる補綴物の製造方法に関する。【選択図】図３
2008538973.tif 000002
【特許請求の範囲】
【請求項１】
雌体（６）と、その側面に刻設されて前記雌体（６）に繋がる凹溝（６ａ）とを有する人工歯５と、
前記人工歯の雌体（６）と凹溝（６ａ）の内部に嵌め込まれる雄体（７）とが一体に形成されて隣接歯（８）に固定される保持部と、
を備えていることを特徴とする歯科用補綴物。
【請求項２】
前記雄体（７）は、保持部の両方の終端（図５）、又は一方の終端（図４）にのみ択一的に形成されることを特徴とする請求項１に記載の歯科用補綴物。
【請求項３】
前記雄体（７）及び保持部は、舌側（３）と頬側（４）を一体にして保持部（１）として形成すること（図７、図２１）を特徴とする請求項１に記載の歯科用補綴物。
【請求項４】
前記雄体（７）及び保持部は、舌側（３）と頬側（４）に両分して形成すること（図８）を特徴とする請求項１に記載の歯科用補綴物。
【請求項５】
前記保持部は、舌側（３）にのみ形成すること（図４）を特徴とする請求項１に記載の歯科用補綴物。
【請求項６】
前記前歯及び人工歯（５）の前方部分の歯には舌側保持部（３）のみを位置させ、臼歯及び人工歯（５）の後方部分の歯には頬側保持部（４）のみを位置させてＳ字状を呈すること（図６）を特徴とする請求項１に記載の歯科用補綴物。
【請求項７】
前記保持部が頬舌側と非機能咬頭及び対合歯と当接しない部分を最大限に被蓋可能にし（図１０）、保持部を取り付け易くすると共に、保持部の弾力性を高めるために、保持部の後方部位に凹部（１０）を設けている（図１１）ことを特徴とする請求項１に記載の歯科用補綴物。
【請求項８】
前記雄体（７）は、Ｔ、Ｉ、Ｌ、Ｏよりなる群から選ばれるいずれか１種の形状をしていることを特徴とする請求項２に記載の歯科用補正物。
【請求項９】
前記雄体（７）は保持部と喪失個所の隣接歯との間の平行を取ることにより、人工歯（５）のスムーズな挿入及び耐圧縮性（図１６）の強化を図ることを特徴とする請求項８に記載の歯科用補綴物。
【請求項１０】
前記舌側（３）と頬側（４）に両分されてなる保持部の終端には、一対の係合可能な突部（９ａ）と凹部（９ｂ）が形成されていること（図９）を特徴とする請求項４に記載の歯科用補綴物。
【請求項１１】
前記保持部は、ピットと非機能咬頭及び対合歯が当接しない咬合面の一部または全部までも被蓋可能に製作されること（図１０）を特徴とする請求項１から１０のいずれかに記載の歯科用補綴物。
【請求項１２】
原モデルを複製し、前記複製済みモデルに対してろう引き(waxing up)を行い、前記複製済みモデルがろう引きされた状態でスプルー(sprue)を取り付け、次いで、前記複製済みモデルに対して埋め込み、焼き付け(burn out)及び鋳造(casting)を行うことを特徴とする歯科用補綴物。
【請求項１３】
保持部（１）には、突部（９）を窪み部（２）に応じて突設し、隣接歯（８）の隣接面には種々の形状の窪み部（２）を凹設することにより、これらが係合可能になっていることを特徴とする請求項１に記載の歯科用補綴物。
【請求項１４】
保持部（１）は、審美感が要求される個所と保持力の確保に影響がない個所、あるいは、前歯部位において、隣接面にのみ設けるか（図２２）、あるいは、隣接面と舌側（図２０）に設けることを特徴とする請求項１３に記載の歯科用補綴物。
【請求項１５】
保持部（１）は、審美感があまり要されない個所及び保持力の確保が必要となる個所において、隣接面と、舌側（図２０）の隣接面と、頬側（図２１）の隣接面及び頬舌側（図１９）の隣接面まで択一的に拡張可能であることを特徴とする請求項１３に記載の歯科用補綴物。
【請求項１６】
保持部（１）の切削は０．５ｍｍ〜２ｍｍ程度の深さまで行い、保持力を増強させるために隣接面（隣接面咬合面を含む、あるいは含まず）に対してのみ鋭角を付け、隣接面（隣接面咬合面を含む、あるいは含まず）と、舌側（舌側咬合面を含む、あるいは含まず）と、隣接面（隣接面咬合面を含む、あるいは含まず）と、頬側（頬側咬合面を含む、あるいは含まず）、あるいは、隣接面（隣接面咬合面を含む、あるいは含まず）と、頬舌側（頬舌側咬合面を含む、あるいは含まず）と、頬側（頬側咬合面を含む、あるいは含まず）や舌側（舌側咬合面を含む、あるいは含まず）に対してのみ切削を行うことを特徴とする請求項１４又は請求項１５に記載の歯科用補綴物。
【請求項１７】
保持部（１）の突部（９）につながる窪み部（２）は、Ｖ字、Ｕ字、矩形、またはホール状及び点状、スクラッチ状、ピンホール状など（図２２から図２５）に形成されていることを特徴とする請求項１３に記載の歯科用補綴物。
【請求項１８】
保持部（１）は隣接歯（８）の後方に凹部（９１）を別設して保持力を確保可能であり（図３１）、保持部の隣接面の切削がない状態でも、隣接歯（８）の凹部（９１）だけで可能である（図３２）ことを特徴とする請求項１７に記載の歯科用補綴物。
【請求項１９】
保持部（１）が非機能咬頭及び対合歯と当接しない咬合面を被蓋（図２４）可能であり、窪み部（２）に一定の角度を付けることを特徴とする請求項１７に記載の歯科用補綴物。
【請求項２０】
保持部（１）に突部（９）が多数突設され、窪み部（２）をこれら突部（９）と同数凹設することによりこれらが係合可能になっていることを特徴とする請求項１３に記載の歯科用補綴物。
【発明の詳細な説明】
【技術分野】
【０００１】
本発明は、喪失歯の補綴・修復のための歯科用補綴物及びその製造方法に係り、さらに詳しくは、人工歯を隣接歯に植え付けるために隣接歯に取り付けられる保持部に雄体、人工歯に雌体をそれぞれ設け、隣接歯を削ることなく人工歯と隣接歯とを連結可能な補綴物と、これを製造するための方法であって、原モデルを複製し、前記複製済みモデルに対してろう引き(waxing up)を行い、前記複製済みモデルがろう引きされた状態でスプルー(sprue)を取り付け、次いで、前記複製済みモデルに対して埋め込み、焼き付け(burn out)及び鋳造(casting)を行うことにより高精細な補綴物が得られる補綴物の製造方法に関する。
【背景技術】
【０００２】
これまでは、通常、喪失歯を修復するために、修復しようとする人工歯の隣りに位置する隣接歯を削り、この削られた隣接歯に金属製又はセラミック製などのクラウン(crown)を覆い被せて人工歯と連結して固定していた。
【０００３】
この種の従来の補綴物に代表される例としてクラウンブリッジと呼ばれるものが挙げられるが、これは、修復しようとする人工歯の両側面に位置する隣接歯１を図１における点線から実線まで削り、図２に示す人工歯２を支台歯に形成されているクラウン２ａに連結して削られた個所に固定するものである。
【０００４】
しかしながら、かかるクラウンブリッジにおいては、歯質の切削量が多量であるため、歯髄変性、歯髄露出若しくは過敏反応を引き起こすことがあり、しかも、隣接歯の咬合面の切削により従来の咬合形状に取り戻すことが不可能であった。また、傾斜の急峻な歯の修復に際し、歯の切削量が多量であるため、神経治療の先行が余儀なくされる場合があった。
【０００５】
上述のクラウンブリッジ以外の補綴物としては、インプラント補綴があるが、これは、金属製の人工歯根を植え付けた後、人工歯をネジ止めするものである。しかしながら、これは、所要時間及びコストが高く、施術を受ける者が激しい歯髄疾患及び消耗性疾患、糖尿及び血液疾患などに苦しんでいる場合には修復に限界があり、しかも、側方圧に相対的に弱い面がある。
【０００６】
この点で、施術がより簡単でありながらも、隣接歯を削ることなく人工歯を固定可能な補綴物の開発が切望されていた。先行特許の補綴物の場合、保持のために隣接歯に窪みを設けたり隣接歯を削ったりすることが余儀なくされ、しかも、隣接歯の状態に応じて種々の補綴物を適用することが困難であった。
【０００７】
一方、上述の如き従来の歯科用補綴物を製造するためには、原モデルに対してろう引きを行い、ろう引きの行われたモデルを原モデルから取り外し、ここにスプルーを取り付けた上で埋め込み及び鋳造を行い、その後、原モデルに付けていたが、この方法によっては、最大限の保持部を得ることが困難であった。
【発明の開示】
【発明が解決しようとする課題】
【０００８】
本発明は、上記事情に鑑みてなされたものであり、その目的は、隣接歯を全く削ることなく、または、隣接歯をほとんど削ることなく保持部を隣接歯８に固定して人工歯を隣接歯に取り付けられた保持部に簡単で且つ強固に固定でき、しかも、歯の状態に応じて外観が自然であり、しかも、その種類が多岐に亘る歯科用補綴物及びその製造方法を提供するところにある。
【課題を解決するための手段】
【０００９】
上述の如き目的を達成するために、本発明は、隣接歯に取り付けられる保持部に雄体を、人工歯に雌体を設けて、隣接歯を削ることなく人工歯を植え付けることのできる補綴物を提供し、また本発明は、原モデルを複製し、前記複製済みモデルに対してろう引きを行い、前記複製済みモデルがろう引きされた状態でスプルーを取り付け、次いで、前記複製済みモデルに対して埋め込み、焼き付け及び鋳造を行うことにより高精細な補綴物が得られる補綴物の製造方法を提供する。
【発明の効果】
【００１０】
本発明によれば、麻酔及び歯の切削がないことから、歯科治療の恐怖感から解放されて気軽に病院に通院でき、その結果、補綴修復の時期を逃すことなく口腔健康をすることができる。また、補綴修復に制約が伴っていた高血圧患者、狭心症患者及び麻酔時に注意が要される患者の場合であっても、何等の危険負担無しに補綴修復を行うことが可能になる。
【００１１】
歯の切削がほとんどないことから、歯髄に影響を及ぼすことがなく、歯の修復後に過敏反応が現れず、しかも、神経治療を行うことが不要になり、我々の身体のうち最も硬い部位であるホウロウ質がそのまま保存されて歯が傷むことが防止できる。さらに、咬合面の切削がないことから、現在の咬合状態を保持することができ、対合歯の変化がない。さらにまた、接触点をそのまま保持することから、患者に異物感を与えることがなく、歯の切削時に生じうる軟組織の損傷がない他、好ましくない歯の切削によりセメントが溶けて歯が傷むことを防ぐことができる。
【００１２】
さらにまた、病院における好ましくない消毒取扱いによる患者間の交差感染がないことから、医療事故の発生を格段に低減することができ、痲酔剤及び歯切削剤が不要になり、患者の診療時間が格段に短縮される。さらに、やむをえず補綴物を取り外す場合であっても、極めて取り外し易くなる。よって、本発明は、人間に最も優しい補綴及び修復法が提供できてその効果が多大なものであると言える。
【発明を実施するための最良の形態】
【００１３】
以下、本発明の好適な実施形態を添付図面に基づいて詳述する。
【００１４】
図３から図１７は、本発明による歯科用補綴物の実施形態を示す図面である。
【００１５】
本発明による歯科用補綴物は、図３及び図４に示すように、雌体６と凹溝６ａが形成された人工歯５と、前記人工歯５の雌体６と凹溝６ａの内部に嵌め込まれる雄体７とが一体に形成されて隣接歯８に固定される保持部３４と、を備えている。
【００１６】
上述の如き構成において、保持部３４の面積を最大限に大きくして隣接歯８との結合力を高め、雌体６及び雄体７の面積を最大限に大きくして保持部３４と人工歯５との結合力を高めている。このとき、状況に応じて、雌体と雄体のサイズは調節可能である。
【００１７】
一方、図７に示すように、雄体７及び保持部３４は一体に形成されてもよく、図８に示すように舌側と頬側に両分されていてもよい。
【００１８】
また、舌側と頬側に両分され、且つ、保持部３４の後方歯がない場合、保持部３４の結合力を高めるために、舌側保持部３と頬側保持部４の終端には、図９に示すように、互いに係合可能な一対の突部９ａと凹部９ｂを設けている。
【００１９】
さらに、見掛けから、保持部３４が外部に突出されてもよい隣接歯８には、図１２及び図１３に示すように、前歯及び審美感が要求される個所には舌側保持部３のみを形成し、図４に示すように、後歯部分は舌側保持部（図３）及び頬側保持部４を分離型（図８）にしても、一体型（図７）にしてもよく、また、前歯及び人工歯の前方部分の歯には舌側保持部のみを位置させ、臼歯及び人工歯の後方部分の歯には頬側保持部のみを位置させて、Ｓ字状（図６）を呈する補綴物として修復することもできる。このようにして形成された補綴物の場合、審美感が要求される個所と前歯部分には舌側保持部３のみがあるため、保持部が表出されなくなる。
【００２０】
一方、上述の如き保持部３、４は、図１０に示すように、ピットと、非機能咬頭及び対合歯が当接しない咬合面の全部または一部が被蓋可能に製作する。また、前歯部分と審美感が要求される個所に設けられる舌側保持部３は、咬合に障害がない範囲内において舌側面を最大限に被蓋する。これにより、側方圧と垂直圧に耐えることができる。
【００２１】
さらに、前記雄体７は、雌体６との保持力を極大化させるために、Ｔ字状、Ｉ字状、Ｌ字状、Ｏ字状及び種々の変形形状に製作することができ、雌体６と凹溝６ａは雄体７の形状に応じてその形状が決まる。
【００２２】
さらにまた、図５に示すように、隣接歯の左右側に欠損歯があれば、保持部の左右側に雄体７を設けることにより、歯と歯との間における喪失の場合にはいかなる場合であっても切削のない補綴修復を行うことが可能になる。
【００２３】
以上のように構成された雄体７は、保持部と喪失された隣接歯との間の平行を取ることにより、人工歯５のスムーズな挿入及び耐圧縮性の強化を図ることができる。
【００２４】
このため、本発明による補綴物は、歯の修復時に用いられる補綴物の金属の弾性と歯そのものの構造と傾斜を最大限に用いて垂直圧と水平圧に耐えうることになり、歯を全く削ることなく隣接歯の舌側と頬側のピットと非機能咬頭、咬合時に当接しない咬合面を最大限に覆い被せていかなる外部の力にも耐えうることになる。
【００２５】
一方、本発明による歯科用補綴物の製造方法は、先ず、原モデルを複製し、前記複製済みモデルに対してろう引きを行い、前記複製済みモデルに対してろう引きの行われた状態でスプルーを取り付け、次いで、前記複製済みモデルに対して埋め込み、焼き付け及び鋳造を行っている。
【００２６】
この方法により製作された保持部と雄体は、僅かなアンダーカット部があるとしても、金属本来の弾性を用いて、舌側保持部は舌側から頬側が始まる個所あるいはそれ以上までも、そして頬側保持部は頬側から舌側が始まる個所あるいはそれ以上までも製作をして取り付けることが可能である。分離型保持部は、言うまでもなく、一体型保持部までも歯をまったく削ることなく保持部を喪失された隣接歯の頬舌側のピットと非機能咬頭、対合歯と当接しない咬合面に取り付けることができる。
【００２７】
図１１に示すように、保持部の後方部位に凹部を設けることにより、保持部の弾力性を高め、これにより、保持部が頬舌側と非機能咬頭及び対合歯と当接しない部分を最大限に被蓋可能にし、しかも、保持部を取り付け易くする。
【００２８】
上述のように、図３に示す舌側保持部３及び頬側保持部４を一体に構成可能であるが、これを図１８から図３７に基づいて説明する。なお、一体に構成された保持部に符号１を付けて説明する。
【００２９】
本発明による歯科用補綴物は、保持部１、保持部１に形成された突部９、保持部に取り付けられた雄体７、人工歯５に形成された雌体６とから構成されている。
【００３０】
保持部１の設置は、保持力の確保と審美感の要求に応じて、切削された隣接面にのみ限定された場合（図２２）と、切削された隣接面から舌側に向かって延びた場合（図２０）と、切削された隣接面から頬側に向かって延びた場合（図２１）または舌側、頬側に向かって延びた場合（図１９）が想定可能である。保持部１は、喪失された隣接歯８の隣接面の大きさ及び位置に応じて切削形状や大きさが変わる。切削は、麻酔なしにも特に異常を感じない範囲内で行う。このとき、保持部１は、０．５ｍｍ〜２ｍｍの深さに形成する。前歯及び審美感が要求される個所における埋込み型保持部１の切削は、舌側及び隣接面（咬合面を含む、あるいは、含まず）に行い、小臼歯及び大臼歯の保持部１の切削は、隣接面（隣接面の咬合面を含む、あるいは含まず）にのみ限定し、あるいは、隣接面及び舌側（舌側咬合面を含む、あるいは含まず）、あるいは、頬側面と頬側面（頬側咬合面を含む、あるいは含まず）にのみ行うか、隣接面と舌頬側（舌頬側咬合面を含む、あるいは含まず）に共に行うか、舌側と頬側が終わる個所に窪み９１を形成する。このとき、窪み９１の形状としてはホール状２３、スクラッチ状２１、点状２２、方形状２４あるいはピンホール状が採用される。
【００３１】
切削部位に一定の角を付けて保持部１の保持力を高める。保持力が必要となる度合いに応じて、保持部の被蓋の度合いが異なってくる（図２４）。この代わりに、保持部の隣接面に対しては、切削がない状態で、舌側、頬側が終わる個所に一定の角が付けられた窪み９１を形成することもあり（図３１、３２）、隣接面の切削及び舌側、頬側が終わる隣接歯８の部位に窪み９１を形成して舌側保持部、頬側保持部が終わる部分と結合させて保持力を極大化（図３１、３２）させることもある。また、強い保持力が求められる個所は、切削された面と切削された隣接部位を含む広い保持部を得るために、原モデルから複製モデルを作成した後、複製モデルに対してろう引きを行い、ろう引きの行われたモデルを複製モデルから取り外すことなく、スプルーを取り付けて埋め込んで焼き付けた後、鋳造を行って原モデルに付ける。このとき、切削された面と隣接部位及び頬側、舌側を被蓋する度合いは、歯の形状及び位置に応じて調節可能である。強い保持力が要求されない個所は、原モデルから切削された部位及びアンダーカットがない部位までを含めて原モデルに対してろう引きを行った後、ろう引きの行われたモデルを取り外してここにスプルーを取り付けた上で埋め込んで焼き付けた後、鋳造を行って原モデルに付けることにより、複製モデルが不要になる。さらに、保持力がほとんど必要ではない個所は、切削された部分だけを用いた保持部を形成して補綴物を製作する場合もある。さらに、審美感が要求される個所は、切削された隣接面から舌側に亘って保持部を設けたり（図２０）、隣接面にのみ保持部を設けることも可能である（図２２）。
【００３２】
審美感が重視されない個所は、舌側、頬側に向かって保持部１を拡張する（図１９）。また、保持部１は、最大限の保持力を得るために、非機能咬頭及び咬合に障害がない咬合面の一部を被蓋することもある（図２４）。保持部１に取り付けられた雄体７は、人工歯５に形成された雌体６との最大限の結合力を得るために、Ｉ字状、Ｌ字状、Ｏ字状、Ｔ字状その他の変形形状を呈することができる。さらに、保持部１と埋込み型保持部１に取り付けられた雄体７は、喪失された隣接支台歯との平行を取ることにより、人工歯５の挿入をスムーズにし、且つ、耐圧縮性を高めて咬合力及び側方圧に耐えることができる。上述の如き方法により喪失歯を回復するとき、歯の切削量がほとんどないため、咬合面をそのまま保持して歯髄変性、歯髄露出、対合歯の変化及び過敏反応を心配する必要がない。
【００３３】
人工歯５は、セラミック製であっても、金属製であってもよい。上述の如き方法を用いることにより、従前のクラウンブリッジ補綴物の欠点であった歯の切削とインプラント補綴の欠点であった長い施術期間と高いコストその他の副作用をなくし、結果として、施術が簡単で且つ低コストにて補綴を修復することができる。
【図面の簡単な説明】
【００３４】
【図１】従来の歯科用補綴物が適用される場合における切削個所を示す側面図である。
【図２】従来の歯科用補綴物の取り付け状態を示す側面図である。
【図３】本発明による歯科用補綴物を示す分解斜視図である。
【図４】図３における舌側拡大図である。
【図５】本発明による歯科用補綴物における保持部の両側終端に設けられた雄体の舌側拡大図である。
【図６】本発明による歯科用補綴物にＳ字状の保持部を取り付けた場合における斜視図及び平面図である。
【図７】本発明による一体型保持部の斜視図である。
【図８】本発明による分離型保持部の斜視図である。
【図９】図８に示す分離型保持部の後方に設けられた結合部を示す斜視図である。
【図１０】図７に示すピットと非機能咬頭及び咬合面の一部の被蓋を示す斜視図である。
【図１１】図７に示す保持部の変形形態を示す斜視図である。
【図１２】図８に示す分離型保持部及び雄体の平面図である。
【図１３】図７に示す一体型保持部及び雄体の平面図である。
【図１４】図７及び図８に示す保持部を頬側から見た側面図である。
【図１５】本発明による歯科用補綴物の着用状態を示す部分破断側断面図である。
【図１６】本発明による歯科用補綴物の雄体の角を示す部分破断正面図である。
【図１７】本発明による歯科用補綴物の人工歯に保持部の雄体が結合された状態を示す破断面図である。
【図１８】本発明による歯科用補綴物の取り付け状態を示す側面図である。
【図１９】本発明による埋込み型保持部の斜視図である。
【図２０】本発明による埋込み型保持部の斜視図である。
【図２１】本発明による埋込み型保持部の斜視図である。
【図２２】本発明による埋込み型保持部の斜視図である。
【図２３】図１９に示す埋込み型保持部に埋め込み部位が添設された形態の斜視図である。
【図２４】図１９に示す埋込み型保持部の変形形態を示す斜視図である。
【図２５】スクラッチ型における窪みを示す正面図及び斜視図である。
【図２６】点型における窪みを示す正面図及び斜視図である。
【図２７】ホール型における窪みを示す平面図及び斜視図である。
【図２８】ボックス型における窪みを示す平面図及び斜視図である。
【図２９】前歯部の舌側面に設けられた切削部位を示す正面図である。
【図３０】前歯部の舌側面に設けられた切削部位を示す正面図である。
【図３１】図３に示す埋込み型保持部の後方における埋め込みを示す斜視図である。
【図３２】埋込み型保持部の後方における埋め込みを示す斜視図である。
【図３３】埋込み型保持部及び雄体を示す平面図である。
【図３４】保持部を頬側からみた側面図である。
【図３５】本発明による歯科用補綴物の着用状態を示す部分破断側断面図である。
【図３６】本発明による歯科用補綴物の雄体の角を示す部分破断正面図である。
【図３７】本発明による歯科用補綴物の人工歯に保持部の雄体が結合された状態を示す破断面図である。
【図１】
2008538973.tif 000003
【図２】
2008538973.tif 000004
【図３】
2008538973.tif 000005
【図４】
2008538973.tif 000006
【図５】
2008538973.tif 000007
【図６】
2008538973.tif 000008
【図７】
2008538973.tif 000009
【図８】
2008538973.tif 000010
【図９】
2008538973.tif 000011
【図１０】
2008538973.tif 000012
【図１１】
2008538973.tif 000013
【図１２】
2008538973.tif 000014
【図１３】
2008538973.tif 000015
【図１４】
2008538973.tif 000016
【図１５】
2008538973.tif 000017
【図１６】
2008538973.tif 000018
【図１７】
2008538973.tif 000019
【図１８】
2008538973.tif 000020
【図１９】
2008538973.tif 000021
【図２０】
2008538973.tif 000022
【図２１】
2008538973.tif 000023
【図２２】
2008538973.tif 000024
【図２３】
2008538973.tif 000025
【図２４】
2008538973.tif 000026
【図２５】
2008538973.tif 000027
【図２６】
2008538973.tif 000028
【図２７】
2008538973.tif 000029
【図２８】
2008538973.tif 000030
【図２９】
2008538973.tif 000031
【図３０】
2008538973.tif 000032
【図３１】
2008538973.tif 000033
【図３２】
2008538973.tif 000034
【図３３】
2008538973.tif 000035
【図３４】
2008538973.tif 000036
【図３５】
2008538973.tif 000037
【図３６】
2008538973.tif 000038
【図３７】
2008538973.tif 000039
【手続補正書】
【提出日】平成19年10月26日(2007.10.26)
【手続補正１】
【補正対象書類名】特許請求の範囲
【補正対象項目名】全文
【補正方法】変更
【補正の内容】
【特許請求の範囲】
【請求項１】
隣接歯（８）を固定するための保持部（３，４）と、前記保持部と一体に形成された雄体（７）と、人工歯（５）と一体に成形されるとともに、前記雄体を挿入して損傷した歯の機能を回復あるいは増進するための凹溝（６ａ）を有する雌体（６）とを備え、前記保持部（３，４）が前記隣接歯の一部または全体を覆って前記隣接歯（８）を取り囲む歯科用補綴物であって、前記保持部（３，４）は前記隣接歯（８）の本来の表面形状に基づいて成形されており、それによって前記隣接歯を全くあるいはほとんど削ることなく前記保持部を前記隣接歯に固定することが可能である、ことを特徴とする歯科用補綴物。
【請求項２】
前記雄体（７）は、保持部の両方の終端（図５）、又は一方の終端（図４）にのみ択一的に形成されることを特徴とする請求項１に記載の歯科用補綴物。
【請求項３】
前記雄体（７）及び保持部は、舌側（３）と頬側（４）を一体にして形成すること（図７）を特徴とする請求項１に記載の歯科用補綴物。
【請求項４】
前記雄体（７）及び保持部は、舌側（３）と頬側（４）に両分して形成すること（図８）を特徴とする請求項１に記載の歯科用補綴物。
【請求項５】
前記保持部は、舌側（３）にのみ形成すること（図４（３））を特徴とする請求項１に記載の歯科用補綴物。
【請求項６】
前記前歯及び人工歯（５）の前方部分の歯には舌側保持部（３）のみを位置させ、臼歯及び人工歯（５）の後方部分の歯には頬側保持部（４）のみを位置させてＳ字状を呈すること（図６）を特徴とする請求項１に記載の歯科用補綴物。
【請求項７】
前記保持部が頬舌側と非機能咬頭及び対合歯と当接しない部分を最大限に被蓋可能にし（図１０）、保持部を取り付け易くすると共に、保持部の弾力性を高めるために、保持部の後方部位に凹部（１０）を設けている（図１１）ことを特徴とする請求項１に記載の歯科用補綴物。
【請求項８】
前記舌側（３）と頬側（４）に両分されてなる保持部の終端には、一対の係合可能な突部（９ａ）と凹部（９ｂ）が形成されていること（図９）を特徴とする請求項４に記載の歯科用補綴物。
【請求項９】
前記保持部は、ピットと非機能咬頭及び対合歯が当接しない咬合面の一部または全部までも被蓋可能に製作されること（図１０）を特徴とする請求項１から８のいずれか１つに記載の歯科用補綴物。
【請求項１０】
原モデルを複製し、
前記複製済みモデルに対してろう引き(waxing up)を行い、
前記複製済みモデルがろう引きされた状態でスプルー(sprue)を取り付け、次いで、
前記複製済みモデルに対して埋め込み、焼き付け(burn out)及び鋳造(casting)を行う、
段階を含むことを特徴とする歯科用補綴物の製造方法。
【請求項１１】
埋め込み式保持部（１）が、前記保持部に突部を形成するように形成されるとともに、前記突部（９）に対応する窪み部（２、２１、２２、２３、２４、２５、２６）が前記隣接歯（８）の隣接面に形成されて前記保持部の保持力を増強することを特徴とする請求項１に記載の歯科用補綴物。
【請求項１２】
前記埋め込み式保持部（１）が保持力を増加させるためのものであり、前記隣接歯（８）の切削された隣接面に、前記隣接歯（８）の前記切削された隣接面から舌側までの範囲、前記隣接歯（８）の前記切削された隣接面から頬側までの範囲、あるいは前記隣接歯（８）の前記切削された隣接面から舌側および頬側までの範囲で配置されるか、または切削後の頬側あるいは舌側に配置されることを特徴とする請求項１１に記載の歯科用補綴物。
【請求項１３】
前記埋め込み型保持部（１）が保持力を確保するためにその後方に突部（９１）を持ち、前記保持部の前記隣接面が切削されていない状態においても前記隣接歯の前記保持部（９１）のみによって保持力を高めることが可能であることを特徴とする請求項１１に記載の歯科用補綴物。
【請求項１４】
前記埋め込み型保持部（１）がさらに前記隣接歯の前記隣接面、前記頬側および前記舌側から咬合面まで伸張することを特徴とする請求項１１に記載の歯科用補綴物。
【手続補正２】
【補正対象書類名】明細書
【補正対象項目名】０００３
【補正方法】変更
【補正の内容】
【０００３】
この種の従来の補綴物に代表される例としてクラウンブリッジと呼ばれるものが挙げられるが、これは、修復しようとする人工歯の両側面に位置する隣接歯１ａを図１における点線から実線まで削り、図２に示す人工歯２を支台歯に形成されているクラウン２ａに連結して削られた個所に固定するものである。
【手続補正３】
【補正対象書類名】図面
【補正対象項目名】図１
【補正方法】変更
【補正の内容】
【図１】
2008538973.tif 000040
【国際調査報告】
2008538973.tif 000041
2008538973.tif 000042